(57)【要約】【課題】壁面に対する部材の固定において、吊下げ具のガタツキの発生を抑えて荷重支持力を向上させることができる板状ピンを提供する。【解決手段】板状ピン４が、所定の長さを有する打ち込み脚部４ａの一端に頭部４ｂを設けて形成され、前記打ち込み脚部４ａが、板材を用いてフラットな断面形状になっている。【選択図】図１
2013036556.tif 000002
【特許請求の範囲】
【請求項１】
壁面等に打ち込んで部材を固定するためのピンであり、
前記ピンが、所定の長さを有する打ち込み脚部と、この打ち込み脚部の長さ方向の一方端部に設けた頭部とで形成され、前記打ち込み脚部が、板材を用いてフラットな断面形状に形成されている板状ピン。
【請求項２】
壁面等に打ち込んで部材を固定するためのピンであり、
前記ピンが、所定の長さを有する打ち込み脚部と、この打ち込み脚部の長さ方向の一方端部に設けた頭部とで形成され、前記打ち込み脚部が、板材を用い、折れ曲がり又は湾曲及び折れ曲がりと湾曲の組合わせの何れかの断面形状に形成されている板状ピン。
【請求項３】
請求項１又は２に記載の板状ピンで壁面等に固定される部材が、前面にフック部材を備えた吊下げ具であり、前記吊下げ具が、前面側にフック部材が設けられた吊下げ具本体に、フック部材の上部側に位置し、前記板状ピンを壁面に向けて打ち込むための斜め下向きの打ち込み孔と、フック部材の下部側に位置し、前記打ち込み孔と反対の下側に延びて壁面へ重なる荷重分散板が設けられている板状ピンで固定する吊下げ具。
【請求項４】
上記吊下げ具本体は、打ち込み孔を設ける部分が荷重分散板の前面よりも前方に突出する張出部に形成され、この張出部に打ち込み孔が設けられ、前記張出部の前方への突出によって生じた下側段部の位置にフック部材が設けられ、前記張出部と荷重分散板の背面が同一面になっている請求項３に記載の板状ピンで固定する吊下げ具。
【請求項５】
上記吊下げ具は、打ち込み孔と板状ピンを隠蔽するために取付けるカバーを備えている請求項３又は４に記載の吊下げ具。
【発明の詳細な説明】
【技術分野】
【０００１】
この発明は、壁面等に部材を固定するために用いる板状ピンと、この板状ピンを用い、
小物部材を吊下げるための吊下げ具を石膏ボード等の壁面に固定して使用する板状ピンで固定する吊下げ具に関する。
【背景技術】
【０００２】
従来、石膏ボード等を用いた壁面に、小物部材を吊下げておくための第１の例の吊下げ具は、上下に長い板状部の上部位置に透孔と下端にフック部が設けられた吊下げ具本体と、この吊下げ具本体を壁面に固定するため、前面から背面に向けて斜めに貫通する複数の貫通孔が設けられた固定具と、前記固定具の各貫通孔に打ち込む複数本のピンとで構成され、このピンは、長くて細い丸軸の一端に先鋭端を設け、他端に頭部を設けた構造になっている。
【０００３】
上記吊下げ具本体の板状部を壁面に重ねた状態で、前記透孔に固定具の背面に設けた小径軸部を嵌め込むことで、板状部の前面に固定具を重ね、この固定具の各貫通孔に対して前面側から壁面に対してピンを打ち込み、固定具で板状部を押圧することで壁面に吊下げ具本体を固定し、フック部に小物部材を吊下げることになる(例えば、特許文献１参照)。
【０００４】
また、第２の例の吊下げ具としては、上下に長い板状部の上部両側に溝部と下端にフック部が設けられた吊下げ具本体と、この吊下げ具本体を壁面に固定する二又釘とからなり、前記吊下げ具本体の板状部を壁面に重ねた状態で、両側の溝部に二又釘を嵌め込み、この二又釘を壁面に水平状態に打ち込むことで壁面に吊下げ具本体を固定し、フック部に小物部材を吊下げる構造になっている(例えば、特許文献２参照)。
【先行技術文献】
【特許文献】
【０００５】
【特許文献１】実開昭６３−２２４１８号公報
【特許文献２】意匠登録第９８３１３２号公報
【発明の概要】
【発明が解決しようとする課題】
【０００６】
ところで、上記した第１の例の吊下げ具に用いられている細くて長いピンは、斜めに打ち込む場合に打ち込み作業に手間がかかると同時に、打ち込み工具によって斜めに打ち込むときに怪我をする危険性がある。
【０００７】
また、第１の例の吊下げ具において、フック部に対して被吊下げ部材を着脱する操作時に、フック部を横方向に引っ張る負荷が加わることがあるが、このようなフック部に横方向の引っ張る負荷が加わると、吊下げ具本体にはピンを支点とする回転が生じることになり、ピンが細い円軸状で斜めになっていると、吊下げ具本体は横方向の回動で壁面から浮き上がり、このような横方向の回動が繰り返し付与されることで吊下げ具本体がガタツクことになる。
【０００８】
更に、第１の例の吊下げ具において、吊下げ具を壁面に固定するピンが細くて長い円軸状であると、石膏ボードのように脆弱な材質の壁面とピンによる荷重支持力が弱く、複数本のピンを打ち込んだ構造であっても、重量のある被吊下げ部材を吊下げることができないという問題がある。
【０００９】
また、上記した第２の例の吊下げ具に用いられている二又釘は、壁面に対して水平に打ち込んで吊下げ具を固定した場合、吊下げ荷重が加わると下方への撓みが発生し、この撓みが抜け方向の力として作用するので、吊下げ荷重が繰り返し付与されることでガタツキが発生することになり、重量の吊下げに適さないという問題がある。
【００１０】
そこで、この発明の課題は、壁面に部材を固定するピンの荷重支持力を向上させて、荷重支持強度が優れて重量物の固定が可能となる板状ピン及び、この板状ピンを用いることにより、ガタツキの発生を少なくし、重量のある被吊下げ物の吊下げを可能にすることができる板状ピンで固定する吊下げ具を提供することにある。
【課題を解決するための手段】
【００１１】
上記のような課題を解決するため、請求項１の発明は、壁面等に打ち込んで部材を固定するためのピンであり、前記ピンが、所定の長さを有する打ち込み脚部と、この打ち込み脚部の長さ方向の一方端部に設けた頭部とで形成され、前記打ち込み脚部が、板材を用いてフラットな断面形状に形成されているようにしたものである。
【００１２】
請求項２の発明は、壁面等に打ち込んで部材を固定するためのピンであり、前記ピンが、所定の長さを有する打ち込み脚部と、この打ち込み脚部の長さ方向の一方端部に設けた頭部とで形成され、前記打ち込み脚部が、板材を用い、折れ曲がり又は湾曲及び折れ曲がりと湾曲の組合わせの何れかの断面形状に形成されているようにしたものである。
【００１３】
請求項３の発明は、請求項１又は２に記載の板状ピンで壁面等に固定される部材が、前面にフック部材を備えた吊下げ具であり、前記吊下げ具が、前面側にフック部材が設けられた吊下げ具本体に、フック部材の上部側に位置し、前記板状ピンを壁面に向けて打ち込むための斜め下向きの打ち込み孔と、フック部材の下部側に位置し、前記打ち込み孔と反対の下側に延びて壁面へ重なる荷重分散板が設けられている板状ピンで固定するようにしたものである。
【００１４】
請求項４の発明は、上記吊下げ具本体は、打ち込み孔を設ける部分が荷重分散板の前面よりも前方に突出する張出部に形成され、この張出部に打ち込み孔が設けられ、前記張出部の前方への突出によって生じた下側段部の位置にフック部材が設けられ、前記張出部と荷重分散板の背面が同一面になっているようにしたものである。
【００１５】
請求項５の発明は、上記吊下げ具は、打ち込み孔と板状ピンを隠蔽するために取付けるカバーを備えているようにしたものである。
【００１６】
ここで、上記ピンは、金属板を用いて形成された打ち込み脚部が、吊下げ具を貫通して壁面に所定長さ打ち込むことができる全長を有し、吊下げ具には、前記ピンの断面形状に適合する形状の打ち込み孔が形成され、この打ち込み孔は前面から背面に向けて下がり傾斜となるよう、例えば垂直線に対して５０°の傾斜角度で設けられ、下向きの荷重に対するピンの支持強度の向上を図るようにしている。
【００１７】
また、打ち込み脚部の折れ曲がりによる断面形状は、下向きＶ字形やＷ形、湾曲による断面形状は、下向きＵ字形、半円形、折れ曲がりと湾曲の組合わせによる断面形状は、下向きＵ字形や半円形の両側に外方への折れ曲り片を設けた断面形状を上げることができる。
【発明の効果】
【００１８】
この発明によると、壁面に対して吊下げ具を固定するために打ち込むピンの打ち込み脚部を、板材を用いてフラットな断面形状あるいは、折れ曲がり又は湾曲及び折れ曲がりと湾曲の組合わせの何れかの断面形状に形成したので、壁面への打ち込み状態において、鉛直方向の吊下げ荷重に対する支持強度に優れ、脆弱な石膏ボードの壁面に固定した吊下げ具の荷重支持力を向上させ、重量物の吊下げを可能にすることができる。
【００１９】
また、ピンの打ち込み脚部を折れ曲がり又は湾曲及び折れ曲がりと湾曲の組合わせの何れかの断面形状に形成することにより、直方向の吊下げ荷重に対する打ち込み脚部の耐折れ曲り強度が向上するだけでなく、打ち込んだ状態で壁面との接触面積が増大し、壁面に対する耐引抜強度が向上する。
【図面の簡単な説明】
【００２０】
【図１】この発明に係る板状ピンとこの板状ピンを用いた吊下げ具の前面側から見た分解斜視図
【図２】この発明に係る板状ピンとこの板状ピンを用いた吊下げ具の背面側から見た分解斜視図
【図３】（ａ）はこの発明に係る板状ピンを用いて吊下げ具を壁面に固定した縦断側面図、（ｂ）は（ａ）の矢印ｂ−ｂで縦断したピンの断面形状を示す縦断背面図
【図４】この発明に係る板状ピンを用いて固定する吊下げ具の各部の寸法関係を示すための側面図
【図５】（ａ）乃至（ｅ）のそれぞれは、この発明に係る板状ピンの断面形状の異なる例を示す拡大した断面図
【発明を実施するための形態】
【００２１】
以下、この発明の実施の形態を添付図面に基づいて説明する。
図１乃至図４は、この発明に係る板状ピン４と、この板状ピン４を用いて壁面Ａに固定する吊下げ具の一例を示し、前記吊下げ具１は、前面側にフック部材２が設けられた吊下げ具本体３の上部に、前記板状ピン４を壁面Ａに向けて打ち込むための斜め下向きの打ち込み孔５を設け、フック部材２の下部側位置に、前記打ち込み孔５と反対の下側に延びて壁面Ａへ重なる荷重分散板６が設けられ、この吊下げ具本体３には、前記板状ピン４の打ち込み部分を隠蔽するための化粧用のカバー７が用意されている。
【００２２】
上記吊下げ具本体３は、硬質合成樹脂を用い、上下に長い板状に形成した荷重分散板６と、この荷重分散板６の上端側に一体成形することにより設けた張出部８とからなり、前記張出部８は、荷重分散板６の上部延長部分の前面側を、例えば、上端から前方下がりの傾斜面８ａと、この傾斜面８ａの下端から荷重分散板６に達する下面８ｂとで、側面から見て三角形状に前方へ突出するように形成し、この張出部８と荷重分散板６の背面は同一面になっている。
【００２３】
上記張出部８には、板状ピン４を傾斜面８ａから壁面Ａに打ち込むための打ち込み孔５が斜め下向きの傾斜状に設けられ、図１乃至図４で示した例の前記板状ピン４は、金属板を用いた所定の長さを有する打ち込み脚部４ａと、この打ち込み脚部４ａの長さ方向の一方端部に設けた頭部４ｂとで形成され、前記打ち込み脚部４ａは、両側の翼板４ｃが下向きＶ字状となる直角の断面形状に形成され、壁面Ａに対して必要とする打ち込み長さに張出部８の厚みを貫通する長さを加えた長さを有し、両翼板４ｃの一方の端部には直角に折れ曲がる頭部４ｂが設けられ、他方端部が先鋭端４ｄになっている。
【００２４】
従って、張出部８に設ける打ち込み孔５は、板状ピン４に適合するよう下向きＶ字状の断面形状に形成され、張出部８の傾斜面８ａで幅方向の中央部からこの張出部８の背面に貫通するように設けられている。
【００２５】
なお、板状ピン４の打ち込み脚部４ａは図１乃至図４のような直角下向きＶ字状の断面形状に限るものではなく、板材を用いてフラットな断面形状、板材を用い、折れ曲がり又は湾曲及び折れ曲がりと湾曲の組合わせの何れかの断面形状に形成することができる。
【００２６】
図５はその幾つかの好ましい断面形状を示し、図５（ａ）はフラットな断面形状、図５（ｂ）は内角が鋭角の下向きＶ字状、図５（ｃ）はＷ字状、図５（ｄ）は下向きＵ字状又は半円状、図５（ｄ）は下向きＵ字状でその両側に外方への折れ曲り片を設け形状を例示しており、上記した吊下げ具本体３の張出部８に設ける打ち込み孔５は、これら例示した打ち込み脚部４ａの断面形状に一致する形状とすればよい。
【００２７】
上記フック部材２は、所定太さの金属線材を略Ｖ字状に折り曲げ加工することにより形成され、上記吊下げ具本体３の前面において、張出部８の幅方向中央部で下面８ｂの下側に位置してその一端側が吊下げ具本体３の前方に向くよう、他端側を張出部８内に埋め込むことにより固定配置されている。
【００２８】
このように、フック部材２を張出部８の下部に固定して配置することにより、打ち込み孔５はフック部材２よりも上部に位置し、また、荷重分散板６は打ち込み孔５と反対側へフック部材２よりも下側に延びた構造になる。
【００２９】
上記張出部８に取付ける化粧用のカバー７は、吊下げ具本体３と同様の材料を用い、張出部８の傾斜面８ａを覆うことのできる大きさに形成され、例えば、張出部８と化粧用のカバー７の重なり面の一方に設けた突軸９と他方に設けた取付け孔１０を嵌め合わせることにより、張出部８に対して化粧用のカバー７を固定するようになっている。
【００３０】
ここで、吊下げ具１において、石膏ボードの壁面Ａに固定使用した場合に、一例として、４０Ｋｇ程度の荷重支持力を得ることができるための各部の具体的な寸法関係を図４に例示すると、フック部材２は直径２．５ｍｍの金属線材を用い、これを外径Ｒ３．５ｍｍでＶ字状に折り曲げ、荷重分散板の上部前面に一方の片が重なるように張出部へ固定する。
【００３１】
吊下げ具本体３は、ＡＢＳ樹脂を用い、張出部８の上端から荷重分散板６の下端までの全長Ｈを５０ｍｍ程度、幅を１６ｍｍ程度とし、荷重分散板６は、板厚ｔを５ｍｍ、フック部材２の荷重点から下端までの長さＨ１が２１ｍｍ、フック部材２の荷重点から背面までの距離Ｌを６．５ｍｍに設定する。
【００３２】
板状ピン４は、厚み０．４ｍｍのステンレス板を用い、図１乃至図４の例において、打ち込み脚部４ａにおける片翼４ａの幅が４ｍｍの断面９０°のＶ字状断面とし、張出部８の打ち込み孔５は前面から背面側に向けての下がり傾斜の角度が垂直線に対して５０°になるよう設け、フック部材２の荷重点から打ち込み孔の背面側開口位置の垂直距離Ｈ２を１１．５ｍｍ、板状ピン４の壁面Ａに対する打ち込み長さＢを１６．３ｍｍに設定し、図４のように、フック部材２の荷重点のＲ中心と壁面Ａに対して打ち込んだ板状ピン４の先端とが同一水平線高さになるようにしている。
【００３３】
なお、荷重支持力の異なる吊下げ具１の製作において、吊下げ具１の各部の大きさと荷重支持力は比例し、吊下げ具１の大きさは、上記各部の寸法設定を上記した比率関係で拡大又は縮小させるようにすればよい。
【００３４】
また、上記した板状ピン４の使用は、吊下げ具１の固定に限定されるものではなく、壁面に固定する部材の取り付けのための固定部材として広く使用することができる。
【００３５】
この発明の板状ピン４とこれを用いる吊下げ具１は、上記のような構成であり、吊下げ具本体３を垂直の姿勢に保持した状態で壁面Ａに重ね、張出部８の打ち込み孔５に挿入した板状ピン４を壁面Ａに打ち込み、頭部４ｂで張出部８を押圧することにより、図３のように、壁面Ａに吊下げ具本体３を固定し、この後、張出部８の前面に化粧用のカバー７を固定すれば取付けが完了する。
【００３６】
上記のように、壁面Ａに固定した吊下げ具１には、吊下げ具本体３の前面に位置するフック部材２に被吊下げ物を吊下げるものであり、前記フック部材２に鉛直方向の荷重が作用した場合、フック部材２を中心として回転モーメントが発生しても、フック部材２よりも下方に延びる荷重分散板６が壁面Ａに当接しているので、この荷重分散板６がモーメントを壁面Ａに伝え、回転モーメントを吸収することで、鉛直方向に対して極めて高い面内保持力を達成することができる。
【００３７】
また、上記板状ピン４は壁面Ａに対して斜め下向きに打ち込み、この板状ピン４の打ち込み脚部４ａの断面形状をフラット、折れ曲がり又は湾曲及び折れ曲がりと湾曲の組合わせの何れかの断面形状に形成したので、脆弱な石膏ボードの壁面に対しても鉛直方向の荷重支持力が向上し、しかも、上記したように鉛直方向の荷重による回転モーメントを荷重分散板６で吸収することにより、板状ピン４に引抜き方向の力が加わらないようにでき、これによって、板状ピン４が抜けて緩むことによるガタツキの発生を防ぐことができる。
【００３８】
また、板状ピン４の打ち込み脚部４ａが、フラット、折れ曲がり又は湾曲及び折れ曲がりと湾曲の組合わせの何れかの断面形状に形成されているので、鉛直方向の荷重による吊下げ具本体３の板状ピン４を中心とする回転運動の発生を抑止することができ、これは、実用上において、絵画を吊るすような静荷重以外の荷重が作用した場合、高い効果を奏することになり、実生活においては、鍵を吊るすために所定の場所に固定した吊下げ具１が一つの実例となる。
【符号の説明】
【００３９】
１        吊下げ具
２        フック部材
３        吊下げ具本体
４        板状ピン
４ａ      打ち込み脚部
４ｂ      頭部
５        打ち込み孔
６        荷重分散板
７        化粧用のカバー
８        張出部
９        突軸
１０      取付け孔
【図１】
2013036556.tif 000003
【図２】
2013036556.tif 000004
【図３】
2013036556.tif 000005
【図４】
2013036556.tif 000006
【図５】
2013036556.tif 000007